(57)【要約】【課題】ＡＴＳＣ３．０規格の地上波デジタル放送を受信する受信装置において、チャネルボンディングを実現する。【解決手段】受信部は、複数の周波数チャネルのいずれかを結合元チャネルとして選択して結合元チャネルからのフレームを受信する。制御部は、フレームに基づいて複数の周波数チャネルのうち結合元チャネルとの間でパケットを結合する周波数チャネルを結合先チャネルとして求める処理と受信部を制御して結合先チャネルからのフレームを新たに受信させる処理とを行う。復号部は、フレームを復号してパケットを取得する。結合部は、結合元チャネルに対応するパケットと結合先チャネルに対応するパケットとを結合する。【選択図】図２
2020022118.tif 000002
【特許請求の範囲】
【請求項１】
複数の周波数チャネルのいずれかを結合元チャネルとして選択して前記結合元チャネルからのフレームを受信する受信部と、
前記フレームに基づいて前記複数の周波数チャネルのうち前記結合元チャネルとの間でパケットを結合する周波数チャネルを結合先チャネルとして求める処理と前記受信部を制御して前記結合先チャネルからのフレームを新たに受信させる処理とを行う制御部と、
前記フレームを復号して前記パケットを取得する復号部と、
前記結合元チャネルに対応する前記パケットと前記結合先チャネルに対応する前記パケットとを結合する結合部と
を具備する受信装置。
【請求項２】
前記フレームは、結合先のＢＳＩＤ（Broadcast Stream ID）が記載されたプリアンブルを含み、
前記制御部は、前記ＢＳＩＤに対応する周波数チャネルを前記結合先チャネルとして取得する
請求項１記載の受信装置。
【請求項３】
前記受信部は、互いに異なる周波数チャネルからの前記フレームを受信する第１および第２の受信回路を備え、
前記第１の受信回路は、前記結合元チャネルからの前記フレームを受信し、
前記制御部は、前記第２の受信回路を制御して前記結合先チャネルからの前記フレームを受信させる
請求項１記載の受信装置。
【請求項４】
前記フレームは、ＬＬＳ（Low Level Signaling）フラグが記載されたプリアンブルを含み、
前記制御部は、所定値の前記ＬＬＳフラグを前記プリアンブルから取得した場合には前記結合先チャネルからのフレームを新たに受信させる
請求項１記載の受信装置。
【請求項５】
ＬＬＳ情報およびＬＭＴ（Link Mapping Table）からチャネルマップを生成する処理を後段処理として行う後段処理部をさらに具備する
請求項４記載の受信装置。
【請求項６】
前記フレームは、所定数の物理層パイプを含み、
前記プリアンブルには、前記物理層パイプごとに前記ＬＬＳフラグが記載され、
前記後段処理部は、前記所定値の前記ＬＬＳフラグに対応する前記物理層パイプから前記ＬＬＳ情報および前記ＬＭＴを取得する
請求項５記載の受信装置。
【請求項７】
前記フレームは、ＡＴＳＣ（Advanced Television Systems Committee standards）３．０規格に準拠したフレームである
請求項１記載の受信装置。
【請求項８】
複数の周波数チャネルのそれぞれからフレームを送信する送信装置と、
前記複数の周波数チャネルのいずれかを結合元チャネルとして選択して前記結合元チャネルからの前記フレームを受信する受信部と、
前記フレームに基づいて前記複数の周波数チャネルのうち前記結合元チャネルとの間でパケットを結合する周波数チャネルを結合先チャネルとして求める処理と前記受信部を制御して前記結合先チャネルからの前記フレームを新たに受信させる処理とを行う制御部と、
前記フレームを復号して前記パケットを取得する復号部と、
前記結合元チャネルに対応する前記パケットと前記結合先チャネルに対応する前記パケットとを結合する結合部と
を具備する通信システム。
【請求項９】
複数の周波数チャネルのいずれかを結合元チャネルとして選択して前記結合元チャネルからのフレームを受信する受信手順と、
前記フレームに基づいて前記複数の周波数チャネルのうち前記結合元チャネルとの間でパケットを結合する周波数チャネルを結合先チャネルとして求める処理と前記受信部を制御して前記結合先チャネルからのフレームを新たに受信させる処理とを行う制御手順と、
前記フレームを復号して前記パケットを取得する復号手順と、
前記結合元チャネルに対応する前記パケットと前記結合先チャネルに対応する前記パケットとを結合する結合手順と
を具備する受信装置の制御方法。
【発明の詳細な説明】
【技術分野】
【０００１】
本技術は、受信装置、通信システム、および、受信装置の制御方法に関する。詳しくは、地上波デジタル放送を受信する受信装置、通信システム、および、受信装置の制御方法に関する。
【背景技術】
【０００２】
近年、ＡＴＳＣ（Advanced Television Systems Committee standards）３．０規格を用いた次世代の地上波デジタル放送を受信するための受信装置の開発や研究が進められている。このＡＴＳＣ３．０規格では、周波数帯域の利用効率を向上させるために、チャネルボンディングと呼ばれる技術を用いることが予定されている（例えば、非特許文献１参照。）。ここで、チャネルボンディングとは、送信装置が１つのストリームを複数のデータに分割して互いに異なる周波数チャネルを介して送信した際に、それらのデータを受信装置が受信して結合することを意味する。
【先行技術文献】
【非特許文献】
【０００３】
【非特許文献１】"ATSC Standard:Physical Layer Protocol Doc. A/322:2017"、Advanced Television Systems Committee、インターネット（https://www.atsc.org/standards/atsc-3-0-standards/）
【発明の概要】
【発明が解決しようとする課題】
【０００４】
上述の従来技術では、チャネルボンディングを用いて周波数帯域の利用効率を向上させることができる。しかしながら、非特許文献１には、送信側の仕様について記載されている一方で、受信側の仕様については記載されていない。このため、チャネルボンディングに対応した受信装置の開発が求められている。
【０００５】
本技術はこのような状況に鑑みて生み出されたものであり、ＡＴＳＣ３．０規格の地上波デジタル放送を受信する受信装置において、チャネルボンディングを実現することを目的とする。
【課題を解決するための手段】
【０００６】
本技術は、上述の問題点を解消するためになされたものであり、その第１の側面は複数の周波数チャネルのいずれかを結合元チャネルとして選択して上記結合元チャネルからのフレームを受信する受信部と、上記フレームに基づいて上記複数の周波数チャネルのうち上記結合元チャネルとの間でパケットを結合する周波数チャネルを結合先チャネルとして求める処理と上記受信部を制御して上記結合先チャネルからのフレームを新たに受信させる処理とを行う制御部と、上記フレームを復号して上記パケットを取得する復号部と、上記結合元チャネルに対応する上記パケットと上記結合先チャネルに対応する上記パケットとを結合する結合部とを具備する受信装置、および、その制御方法である。これにより、結合元チャネルが、フレームに基づいて求められた結合先チャネルに切り替えられるという作用をもたらす。
【０００７】
また、この第１の側面において、上記フレームは、結合先のＢＳＩＤ（Broadcast Stream ID）が記載されたプリアンブルを含み、上記制御部は、上記ＢＳＩＤに対応する周波数チャネルを上記結合先チャネルとして取得してもよい。これにより、結合先のＢＳＩＤに対応する周波数チャネルに切り替えられるという作用をもたらす。
【０００８】
また、この第１の側面において、上記受信部は、互いに異なる周波数チャネルからの上記フレームを受信する第１および第２の受信回路を備え、上記第１の受信回路は、上記結合元チャネルからの上記フレームを受信し、上記制御部は、上記第２の受信回路を制御して上記結合先チャネルからの上記フレームを受信させてもよい。これにより、第１の受信回路で受信されたフレームに基づいて求められた結合先チャネルに第２の受信回路が切り替えるという作用をもたらす。
【０００９】
また、この第１の側面において、上記フレームは、ＬＬＳ（Low Level Signaling）フラグが記載されたプリアンブルを含み、上記制御部は、所定値の上記ＬＬＳフラグを上記プリアンブルから取得した場合には上記結合先チャネルからのフレームを新たに受信させてもよい。これにより、所定値のＬＬＳフラグが取得された際に結合先チャネルに切り替えられるという作用をもたらす。
【００１０】
また、この第１の側面において、ＬＬＳ情報およびＬＭＴ（Link Mapping Table）からチャネルマップを生成する処理を後段処理として行う後段処理部をさらに具備してもよい。これにより、チャネルマップが生成されるという作用をもたらす。
【００１１】
また、この第１の側面において、上記フレームは、所定数の物理層パイプを含み、上記プリアンブルには、上記物理層パイプごとに上記ＬＬＳフラグが記載され、上記後段処理部は、上記所定値の上記ＬＬＳフラグに対応する上記物理層パイプから上記ＬＬＳ情報および上記ＬＭＴを取得してもよい。これにより、ＬＬＳ情報およびＬＭＴからチャネルマップが生成されるという作用をもたらす。
【００１２】
また、この第１の側面において、上記フレームは、ＡＴＳＣ（Advanced Television Systems Committee standards）３．０規格に準拠したフレームであってもよい。これにより、ＡＴＳＣ３．０規格に準拠したフレームに基づいて求められた結合先チャネルに切り替えられるという作用をもたらす。
【００１３】
また、本技術の第２の側面は、複数の周波数チャネルのそれぞれからフレームを送信する送信装置と、上記複数の周波数チャネルのいずれかを結合元チャネルとして選択して上記結合元チャネルからの上記フレームを受信する受信部と、上記フレームに基づいて上記複数の周波数チャネルのうち上記結合元チャネルとの間でパケットを結合する周波数チャネルを結合先チャネルとして求める処理と上記受信部を制御して上記結合先チャネルからの上記フレームを新たに受信させる処理とを行う制御部と、上記フレームを復号して上記パケットを取得する復号部と、上記結合元チャネルに対応する上記パケットと上記結合先チャネルに対応する上記パケットとを結合する結合部とを具備する通信システムである。これにより、受信装置において、送信装置が結合元チャネルから送信したフレームに基づいて求められた結合先チャネルに切り替えられるという作用をもたらす。
【発明の効果】
【００１４】
本技術によれば、ＡＴＳＣ３．０規格の地上波デジタル放送を受信する受信装置において、チャネルボンディングを実現することができるという優れた効果を奏し得る。なお、ここに記載された効果は必ずしも限定されるものではなく、本開示中に記載されたいずれかの効果であってもよい。
【図面の簡単な説明】
【００１５】
【図１】本技術の第１の実施の形態における通信システムの一構成例を示すブロック図である。
【図２】本技術の第１の実施の形態における受信装置の一構成例を示すブロック図である。
【図３】本技術の第１の実施の形態における送信装置の一構成例を示すブロック図である。
【図４】本技術の第１の実施の形態におけるベースバンドパケットのデータ構造の一例を示す図である。
【図５】本技術の第１の実施の形態におけるＯＦＤＭ（Orthogonal Frequency Division Multiplexing）フレームのデータ構造の一例を示す図である。
【図６】本技術の第１の実施の形態におけるＬ１−Ｄｅｔａｉｌ情報の構文の一例を示す図である。
【図７】本技術の第１の実施の形態におけるストリームの分割を説明するための図である。
【図８】本技術の第１の実施の形態における受信装置の動作の一例を示すタイミングチャートである。
【図９】比較例における受信装置の動作の一例を示すタイミングチャートである。
【図１０】本技術の第１の実施の形態における受信装置の動作の一例を示すフローチャートである。
【図１１】本技術の第２の実施の形態における受信装置の一構成例を示すブロック図である。
【図１２】本技術の第２の実施の形態における受信装置の動作の一例を示すタイミングチャートである。
【発明を実施するための形態】
【００１６】
以下、本技術を実施するための形態（以下、実施の形態と称する）について説明する。説明は以下の順序により行う。
１．第１の実施の形態（Ｌ１情報に基づいて周波数チャネルを切り替える例）
２．第２の実施の形態（２つのＲＦ受信回路を設け、Ｌ１情報に基づいて周波数チャネルを切り替える例）
【００１７】
＜１．第１の実施の形態＞
［通信システムの構成例］
図１は、本技術の第１の実施の形態における通信システムの一構成例を示すブロック図である。この通信システムは、ＡＴＳＣ３．０規格の地上波デジタル放送を送受信するシステムであり、送信装置１００および受信装置２００を備える。
【００１８】
送信装置１００は、アンテナ１８０を備える。この送信装置１００は、複数の周波数チャネルからＯＦＤＭフレーム単位でデータを送信する。アンテナ１８０は、ＯＦＤＭ変調したＲＦ（Radio Frequency）信号を送信する。
【００１９】
受信装置２００は、アンテナ２１０を備える。この受信装置２００は、複数の周波数チャネルからＯＦＤＭフレーム単位でデータを受信する。アンテナ２１０は、ＯＦＤＭ変調されたＲＦ信号を受信する。
【００２０】
［受信装置の構成例］
図２は、本技術の第１の実施の形態における受信装置２００の一構成例を示すブロック図である。この受信装置２００は、アンテナ２１０に加えて、ＲＦ受信回路２２０と、ＯＦＤＭ復調部２３０および２３５と、Ｌ１情報処理部２４０および２４５と、復号部２５０および２５５とを備える。また、受信装置２００は、結合部２６０および後段処理部２７０をさらに備える。
【００２１】
ＲＦ受信回路２２０は、複数の周波数チャネルのいずれかを選択し、アナログのＲＦ信号に対してＡＤ（Analog to Digital）変換や周波数変換を行って、選択した周波数チャネルのベースバンド信号を取得するものである。これにより、ベースバンド信号が受信される。ＲＦ受信回路２２０は、ベースバンド信号をＯＦＤＭフレーム単位でＯＦＤＭ復調部２３０に供給する。
【００２２】
ＯＦＤＭ復調部２３０は、ＲＦ受信回路２２０からのＯＦＤＭフレームを復調するものである。このＯＦＤＭ復調部２３０は、復調によりＬ１情報と、ＰＬＰ（Physical Layer Pipe）に対応するＦＥＣ（Forward Error Correction）ブロック群とを取得し、Ｌ１情報処理部２４０に供給する。
【００２３】
ここで、ＡＴＳＣ３．０規格では、データは、ＰＬＰ（Physical Layer Pipe）と呼ばれるデータ構造において伝送される。そして、送信側は、６４ＰＬＰまで伝送することができ、受信側は最大４ＰＬＰまで同時処理することができなければならない。
【００２４】
Ｌ１情報処理部２４０は、ＯＦＤＭ復調部２３０からのＬ１情報に基づいて、現在の周波数チャネルとの間でパケットを結合する周波数チャネルを取得するものである。以下、ＲＦ受信回路２２０が選択した現在の周波数チャネルを「結合元チャネル」と称し、その結合元チャネルとの間でパケットが結合される周波数チャネルを「結合先チャネル」と称する。
【００２５】
Ｌ１情報処理部２４０は、ＲＦ受信回路２２０を制御して結合元チャネル（ＣＨ０など）から結合先チャネル（ＣＨ４など）へ受信対象の周波数チャネルを切り替えさせる。そして、ＲＦ受信回路２２０は、結合元チャネルから、新たにＯＦＤＭフレームを受信し、ＯＦＤＭ復調部２３５に供給する。結合先チャネルが常に存在するとは限らない。結合先チャネルが存在しない場合にＲＦ受信回路２２０は、ＣＨ１、ＣＨ２およびＣＨ３の順など、一定の順序で周波数チャネルを切り替える。なお、Ｌ１情報処理部２４０は、特許請求の範囲に記載の制御部の一例である。
【００２６】
また、Ｌ１情報処理部２４０は、ＦＥＣブロックの復号に必要な情報（符号化方式や符号化率）をＬ１情報から取得し、ＰＬＰに対応するＦＥＣブロック群とともに復号部２５０に供給する。
【００２７】
復号部２５０は、ＰＬＰに対応するＦＥＣブロックのそれぞれを復号してベースバンドパケット（ＢＢＰ：BaseBand Packets）を取得し、結合部２６０に出力するものである。
【００２８】
ＯＦＤＭ復調部２３５は、ＲＦ受信回路２２０からのＯＦＤＭフレームを復調してＬ１情報と、ＰＬＰに対応するＦＥＣブロック群とを取得し、Ｌ１情報処理部２４５に供給するものである。
【００２９】
Ｌ１情報処理部２４５は、ＦＥＣブロックの復号に必要な情報をＬ１情報から取得し、ＰＬＰに対応するＦＥＣブロック群とともに復号部２５５に供給するものである。
【００３０】
復号部２５５は、ＰＬＰに対応するＦＥＣブロックのそれぞれを復号してＢＢＰを取得し、結合部２６０に出力するものである。
【００３１】
結合部２６０は、結合元チャネルに対応するＢＢＰと結合先チャネルに対応するＢＢＰとを結合して元のストリームを復元するものである。この結合部２６０は、結合後のストリームを後段処理部２７０に供給する。
【００３２】
後段処理部２７０は、ストリームに対してデコード処理などを行うことにより映像や音声を生成し、表示装置やスピーカーに出力するものである。また、後段処理部２７０は、ストリームを構成するＰＬＰからＬＬＳ（Low Level Signaling）情報およびＬＭＴ（Link Mapping Table）を取得し、それらの情報からチャネルマップを生成する。
【００３３】
ＬＬＳ情報は、物理層よりも上位の層（トランスポート層やアプリケーション層など）の情報であり、ＳＬＴ（Service List Table）などを含む。ＳＬＴは、受信側がチャネル名やチャネル情報などとともに、受信することができる全てのサービスのリストを高速に作成するための情報を含む。ＬＬＳ情報の詳細は、「"ATSC Standard:Signaling, Delivery, Synchronization, and Error Protection"、Advanced Television Systems Committee、インターネット（https://www.atsc.org/wp-content/uploads/2017/12/
A331-2017-Signaling-Deivery-Sync-FEC-2.pdf）」に記載されている。
【００３４】
ＬＭＴは、ＰＬＰにおいて伝送されるマルチキャストのリストを提供する情報である。このＬＭＴは、ＬＬＳ情報を伝送するＰＬＰ内に含まれる。ＬＭＴは、例えば、マルチキャストごとに、送信元ＩＰ（Internet Protocol）アドレス、宛先ＩＰアドレス、送信元ＵＤＰ（User Datagram Protocol）ポート、宛先ＵＤＰポートなどを含む。ＬＭＴの詳細は、「"ATSC Standard:Link-Layer Protocol (A/330)"、Advanced Television Systems Committee、インターネット（https://www.atsc.org/wp-content/uploads/2016/10/
A330-2016-Link-Layer-Protocol-3.pdf）」に記載されている。チャネルマップは、ＳＬＴやＬＭＴの解析結果を示す情報である。
【００３５】
なお、ＯＦＤＭ復調部２３０および２３５と、Ｌ１情報処理部２４０および２４５と、復号部２５０および２５５と、結合部２６０および後段処理部２７０とのそれぞれは、単一の集積回路に設けてもよいし、２つの集積回路に分散して設けてもよい。２つの集積回路に分散する際には、例えば、ＯＦＤＭ復調部２３０、Ｌ１情報処理部２４０、復号部２５０、結合部２６０および後段処理部２７０が、２つの集積回路の一方に設けられ、残りは他方の集積回路に設けられる。
【００３６】
［送信装置の構成例］
図３は、本技術の第１の実施の形態における送信装置１００の一構成例を示すブロック図である。この送信装置１００は、入力フォーマッティングブロック１１０と、ストリーム分割ブロック１２０と、ＢＩＣＭ(Bit Interleaved and Coded Modulation)ブロック１３０および１３５とを備える。また、送信装置１００は、フレーム化・インターリービングブロック１５０および１５５と、波形生成部１６０および１６５と、ＲＦ送信回路１７０とを備える。
【００３７】
入力フォーマッティングブロック１１０は、入力された複数のデータのそれぞれをカプセル化および圧縮してＢＢＰを生成するものである。この入力フォーマッティングブロック１１０には、映像ストリームなどのストリームを一定の単位で分割した複数のデータが入力される。
【００３８】
入力フォーマッティングブロック１１０は、データのそれぞれをカプセル化および圧縮して、ＡＬＰ(ATSC Link layer Protocol)パケットを生成する。そして、入力フォーマッティングブロック１１０は、ＰＬＰごとに、ＰＬＰに対応するＡＬＰパケットからなるＡＬＰ群を複数に分割し、その分割したデータをペイロードに格納したＢＢＰを生成する。入力フォーマッティングブロック１１０は、それらのＢＢＰを含むストリームをストリーム分割ブロック１２０に供給する。
【００３９】
ストリーム分割ブロック１２０は、チャネルボンディングに用いる周波数チャネルの個数に応じてストリームを分割するものである。ここでは、２つの周波数チャネルを介してストリームを送信するものとする。ストリーム分割ブロック１２０は、ストリームをＢＢＰ単位で２つに分割し、分割したデータの一方をＢＩＣＭブロック１３０に供給し、他方をＢＩＣＭブロック１３５に供給する。
【００４０】
ＢＩＣＭブロック１３０および１３５は、ＰＬＰごとに、ＰＬＰに対応する複数のＢＢＰのそれぞれを符号化し、ビットインタリーブを行って複数のセルを出力するものである。ＢＩＣＭブロック１３０は、フレーム化・インターリービングブロック１５０へ、ＰＬＰに対応するセル群を出力し、ＢＩＣＭブロック１３５は、フレーム化・インターリービングブロック１５５へ、ＰＬＰに対応するセル群を出力する。
【００４１】
フレーム化・インターリービングブロック１５０および１５５は、ＰＬＰに対応するセル群に対して時間インターリーブおよび周波数インターリーブを行い、ＯＦＤＭフレームを構成するシンボル群を生成するものである。フレーム化・インターリービングブロック１５０は、ＯＦＤＭフレームに対応するシンボル群のそれぞれを波形生成部１６０に出力する。一方、フレーム化・インターリービングブロック１５５は、ＯＦＤＭフレームに対応するシンボル群のそれぞれを波形生成部１６５に出力する。
【００４２】
波形生成部１６０および１６５は、パイロット信号の挿入、逆高速フーリエ変換（ＩＦＦＴ：Inverse Fast Fourier Transform）や、ガードインターバルの挿入などを行ってＯＦＤＭフレームを生成するものである。波形生成部１６０および１６５は、ＯＦＤＭフレームをＲＦ送信回路１７０に出力する。
【００４３】
受信装置２００内のＯＦＤＭ復調部２３０および２３５では、波形生成部１６０および１６５と、フレーム化・インターリービングブロック１５０および１５５と、ＢＩＣＭブロック１３０および１３５内のインターリンビングとに対応する処理が実行される。また、受信装置２００内の復号部２５０および２５５では、ＢＩＣＭブロック１３０および１３５内の符号化処理に対応する復号処理が実行される。
【００４４】
ＲＦ送信回路１７０は、波形生成部１６０からのＯＦＤＭフレームと、波形生成部１６５からのＯＦＤＭフレームとを、互いに異なる周波数チャネルを介して送信するものである。このＲＦ送信回路１７０は、波形生成部１６０からのＯＦＤＭフレームを、周波数チャネルＣＨ０などを介してアンテナ１８０から送信する。また、ＲＦ送信回路１７０は、波形生成部１６５からのＯＦＤＭフレームを、周波数チャネルＣＨ０と異なる周波数チャネル（ＣＨ４など）を介してアンテナ１８０から送信する。なお、ＲＦ送信回路およびアンテナを２つずつ配置することもできる。
【００４５】
なお、結合する周波数チャネルＣＨ０およびＣＨ４の周波数帯域は、互いに隣接している必要は無い。また、送信装置１００は、チャネルボンディングを用いる際に２つの周波数チャネルを介してＯＦＤＭフレームを送信しているが、３つ以上の周波数チャネルを介してＯＦＤＭフレームを送信することもできる。また、送信装置１００内の処理は、「"ATSC Standard:Physical Layer Protocol Doc. A/322:2017"、Advanced Television Systems Committee、インターネット（https://www.atsc.org/standards/atsc-3-0-standards/）」に記載されている。
【００４６】
図４は、本技術の第１の実施の形態におけるベースバンドパケット（ＢＢＰ）のデータ構造の一例を示す図である。このＢＢＰは、ＢＢＰヘッダおよびペイロードを含む。ＢＢＰヘッダには、ベースフィールド、オプショナルフィールドおよび拡張フィールドが設けられる。そして、拡張フィールドには、カウンタやリザーブドの領域が設けられる。このカウンタは、ＰＬＰ内のＢＢＰごとに１ずつ線形に増加する値であり、ＰＬＰごとに独立のカウンタが用いられる。拡張フィールド内のカウンタを以下、「拡張カウンタ」と称する。また、ペイロードに格納されたデータを「ＢＢＰデータ」と称する。
【００４７】
図５は、本技術の第１の実施の形態におけるＯＦＤＭフレームのデータ構造の一例を示す図である。ＯＦＤＭフレームは、ブートストラップ、プリアンブルおよびペイロードを含む。プリアンブルには、Ｌ１−Ｂａｓｉｃ情報およびＬ１−Ｄｅｔａｉｌ情報からなるＬ１情報が格納される。Ｌ１−Ｂａｓｉｃ情報には、パイロット信号の符号化方法などが格納される。Ｌ１−Ｄｅｔａｉｌ情報の詳細については後述する。ペイロードには、最大で２５６個のサブフレームが格納される。また、サブフレームのそれぞれには、最大で６４個のＰＬＰが格納される。
【００４８】
また、ＰＬＰには、コンテンツのデータ、ＬＬＳ情報やＬＭＴを格納することができる。ただし、ＬＬＳ情報およびＬＭＴは、全てのＰＬＰに格納されるとは限らない。Ｌ１−Ｄｅｔａｉｌ情報内には、対応するＰＬＰがＬＬＳ情報を含むか否かを示すＬＬＳフラグが格納される。また、ＬＭＴは、ＬＬＳ情報を伝送するＰＬＰ内に含まれる。
【００４９】
ＢＩＣＭブロック１３０等は、ＰＬＰに対応するＢＢＰ群に対して符号化およびビットインターリービングを行い、ＰＬＰに対応するセル群を生成する。そして、フレーム化・インターリービングブロック１５０等は、ＰＬＰに対応するセル群に対して周波数インターリービングや時間インターリービングを行う一方でプリアンブルを生成し、ＯＦＤＭを構成するシンボル群を生成する。
【００５０】
図６は、本技術の第１の実施の形態におけるＬ１−Ｄｅｔａｉｌ情報の構文の一例を示す図である。この構文は、「ATSC Standard:Physical Layer Protocol Doc. A/322:2017"、Advanced Television Systems Committee、インターネット（https://www.atsc.org
/standards/atsc-3-0-standards/）」に記載されている。
【００５１】
Ｌ１−Ｄｅｔａｉｌ情報内の破線で囲った部分６０１に「L1D_bonded_bsid」フィールドが設けられる。このフィールドの値は、「L1D_rf_id」のＩＤの値に関連づけられ、現在の周波数チャネル（結合元チャネル）と結合される別個の周波数チャネル（結合先チャネル）のＢＳＩＤ（Broadcast Stream ID）を示す。
【００５２】
ここで、ＢＳＩＤは、放送信号の集合したコンテンツを識別するための１６ビットの値である。ユニークな各送信信号は、固有のＢＳＩＤを有する。 例えば、異なる周波数に変換された信号は、同じＢＳＩＤを有する。
【００５３】
また、部分６０２に「L1D_plp_id」フィールドが設けられる。この「L1D_plp_id」フィールドには、ＰＬＰの識別情報が記載される。
【００５４】
部分６０３には、「L1D_plp_lls_flag」フィールドが設けられる。この「L1D_plp_lls_flag」フィールドは、現在のＯＦＤＭフレーム内の１つ以上のＰＬＰにおけるＬＬＳ情報の有無を示す。現在のＯＦＤＭフレームに、ＬＬＳ情報が無い場合には「L1D_plp_lls_flag」に「０」が設定され、ＬＬＳ情報がある場合には「１」が設定される。
【００５５】
部分６０４には、現在のＰＬＰのチャネルボンディングに含まれる周波数の個数を記載した「L1D_plp_num_channel_bonded」フィールドが設けられる。ただし、このフィールドの値は、現在のチャネルの周波数を除いた値である。例えば、２つの周波数を用いる場合には、「L1D_plp_num_channel_bonded」フィールドに「１」が設定される。受信装置２００は、「L1D_plp_num_channel_bonded」フィールドを参照することにより、チャネルボンディングを行うか否かを判断することができる。
【００５６】
部分６０５には、「L1D_bsid」フィールドが設けられる。この「L1D_bsid」フィールドには、現在の周波数チャネル（結合元チャネル）のＢＳＩＤが記載される。
【００５７】
図７は、本技術の第１の実施の形態におけるストリームの分割を説明するための図である。ストリーム内において、あるＰＬＰに対応するＢＢＰ群を２つに分割する場合を考える。このＢＢＰ群において、ＢＢＰごとに拡張カウンタの値が割り当てられ、そのヘッダ内に値が格納される。拡張カウンタは、ＰＬＰ内の先頭のＢＢＰで初期化され、ＢＢＰごとに１つずつ増分する。
【００５８】
ストリーム分割ブロック１２０は、ＰＬＰに対応するＢＢＰ群を、例えば、カウンタ値が「１２」までのＢＢＰ群と、カウンタ値が「１３」以降のＢＢＰ群とに分割する。ＢＩＣＭブロック１３０、フレーム化・インターリービングブロック１５０および波形生成部１６０は、前者のＢＢＰ群に対して符号化やインターリービングなどを行って周波数チャネルＣＨ０に対応するＯＦＤＭフレームを生成する。一方、ＢＩＣＭブロック１３５、フレーム化・インターリービングブロック１５５および波形生成部１６５は、後者のＢＢＰ群に対して符号化やインターリービングなどを行って周波数チャネルＣＨ４に対応するＯＦＤＭフレームを生成する。
【００５９】
受信装置２００は、周波数チャネルＣＨ０およびＣＨ４から、上述のＯＦＤＭフレームを受信し、送信側と対応する処理により、カウンタ値が「１２」までのＢＢＰ群と、カウンタ値が「１３」以降のＢＢＰ群とを取得する。そして、受信装置２００は、それらのＢＢＰをカウンタ値の順に配列する（言い換えれば、結合する）ことにより、元のストリームを復元する。このように、受信装置２００は、ＢＢＰ内の拡張カウンタの値を参照することにより、周波数チャネルＣＨ０に対応するＢＢＰと、周波数チャネルＣＨ４に対応するＢＢＰとを結合することができる。
【００６０】
図８は、本技術の第１の実施の形態における受信装置２００の動作の一例を示すタイミングチャートである。タイミングＴ０乃至Ｔ２の期間において、ＲＦ受信回路２２０は、まず、周波数チャネルＣＨ０を選択してＯＦＤＭフレームを受信する。ＯＦＤＭ復調部２３０は、そのＯＦＤＭフレームを復調してＬ１情報と、ＰＬＰに対応するＦＥＣブロック群とを取得する。
【００６１】
Ｌ１情報処理部２４０は、Ｌ１情報を走査し、タイミングＴ１においてＬＬＳフラグが「１」のＰＬＰのＰＬＰＩＤを取得し、タイミングＴ１乃至Ｔ２においてＬＬＳフラグ以降の残りのＬ１情報を走査する。タイミングＴ１乃至Ｔ２において復号部２５０は、取得されたＰＬＰＩＤのＰＬＰを復号する。また、その期間において後段処理部２７０は、ＬＬＳ情報を取得する。
【００６２】
また、Ｌ１情報処理部２４０は、「L1D_bonded_bsid」フィールドを走査して、結合先のＢＳＩＤに対応する周波数チャネルＣＨ４を結合先チャネルとして求める。タイミングＴ２乃至Ｔ４において、ＲＦ受信回路２２０は、その結合先チャネルＣＨ４に受信先の周波数チャネルを切り替え、新たにＯＦＤＭフレームを受信する。ＯＦＤＭ復調部２３５は、そのＯＦＤＭフレームを復調してＬ１情報と、ＰＬＰに対応するＦＥＣブロック群とを取得する。
【００６３】
Ｌ１情報処理部２４５は、Ｌ１情報を走査し、タイミングＴ３においてＬＬＳフラグが「１」のＰＬＰのＰＬＰＩＤを取得し、タイミングＴ３乃至Ｔ４においてＬＬＳフラグ以降の残りのＬ１情報を走査する。タイミングＴ３乃至Ｔ４において結合部２６０は、必要に応じて結合元チャネルＣＨ０のパケットと、結合先チャネルＣＨ４のパケットとを結合する。なお、結合が行われないこともある。結合を行うか否かは、Ｌ１情報処理部２４５が前述の「L1D_plp_num_channel_bonded」フィールドを参照することにより判断することができる。
【００６４】
受信装置２００は、タイミングＴ４の後に、残りの周波数チャネルＣＨ１乃至ＣＨ３に順に切り替え、同様の処理を繰り返す。
【００６５】
図９は、比較例における受信装置の動作の一例を示すタイミングチャートである。この比較例において受信装置は、周波数チャネルＣＨ０乃至ＣＨ４を順に切り替え、それぞれの周波数チャネルのＬ１情報を順に走査するものとする。
【００６６】
タイミングＴ０乃至Ｔ２の期間において、ＲＦ受信回路２２０は、まず、周波数チャネルＣＨ０を選択してＯＦＤＭフレームを受信する。ＯＦＤＭ復調部２３０は、そのＯＦＤＭフレームを復調し、Ｌ１情報処理部２４０は、その周波数チャネルのＬ１情報を走査する。
【００６７】
タイミングＴ２乃至Ｔ４の期間において、ＲＦ受信回路２２０は、次の周波数チャネルＣＨ１に切り替えてＯＦＤＭフレームを受信する。ＯＦＤＭ復調部２３５は、そのＯＦＤＭフレームを復調し、Ｌ１情報処理部２４５は、その周波数チャネルのＬ１情報を走査する。
【００６８】
以下、同様に受信装置は、ＣＨ２乃至ＣＨ４に周波数チャネルを順に切り替える。周波数チャネルＣＨ０の結合先チャネルをＣＨ４とすると、ＣＨ４の切り替え後のタイミングＴ６まで待たないと、受信装置は、結合を開始することができない。
【００６９】
これに対して、Ｌ１情報を走査し、結合先チャネルを求めて切り替える構成では、図８に例示したように、結合先でないＣＨ１乃至ＣＨ３に切り替える前に結合を開始することができる。これにより、結合開始までの遅延時間を比較例よりも短くすることができる。
【００７０】
［受信装置の動作例］
図１０は、本技術の第１の実施の形態における受信装置２００の動作の一例を示すフローチャートである。この動作は、例えば、受信装置２００が放送データを受信するための所定のアプリケーションが実行されたときに開始される。
【００７１】
受信装置２００は、所定の周波数チャネルを選択し（ステップＳ９０１）、Ｌ１情報を走査する（ステップＳ９０２）。また、受信装置２００は、ＦＥＣブロックを復号し（ステップＳ９０３）、ＬＬＳ情報を取得する（ステップＳ９０４）。
【００７２】
そして、受信装置２００は、Ｌ１情報に基づいて、結合先チャネルに切り替え（ステップＳ９０５）、Ｌ１情報を走査する（ステップＳ９０６）。また、受信装置２００は、ＦＥＣブロックを復号する（ステップＳ９０７）。次いで、受信装置２００は、結合元チャネルのＢＢＰと結合先チャネルのＢＢＰとを結合し（ステップＳ９０８）、ＬＬＳ情報を取得する（ステップＳ９０９）。ステップＳ９０９の後に受信装置２００は、残りの周波数チャネルに順に切り替えて同様の処理を行い、動作を終了する。
【００７３】
このように、本技術の第１の実施の形態によれば、受信装置２００が、結合元チャネルのＯＦＤＭフレーム内のＬ１情報に基づいて、結合先チャネルに切り替えてＢＢＰを結合するため、結合先でないチャネルに切り替える前に、結合を開始することができる。これにより、受信装置２００において、チャネルボンディングを実現することができる。また、結合先であるか否かに関わらずに周波数チャネルを順に切り替える場合と比較して、結合開始までの遅延時間を短くすることができる。
【００７４】
＜２．第２の実施の形態＞
上述の第１の実施の形態では、受信装置２００は、ＲＦ受信回路２２０のみにより、ＯＦＤＭフレームを受信していたが、この構成では、複数の周波数チャネルから同時にＯＦＤＭフレームを受信することができない。この第２の実施の形態の受信装置２００は、ＲＦ受信回路２２０と異なる周波数チャネルからＯＦＤＭフレームを受信するＲＦ受信回路２２５をさらに設けた点において第１の実施の形態と異なる。
【００７５】
図１１は、本技術の第２の実施の形態における受信装置２００の一構成例を示すブロック図である。この第２の実施の形態の受信装置２００は、アンテナ２１５およびＲＦ受信回路２２５をさらに備える点において第１の実施の形態と異なる。
【００７６】
ＲＦ受信回路２２５は、Ｌ１情報処理部２４０の制御に従ってＲＦ受信回路２２０と異なる周波数チャネルからのＯＦＤＭフレームを受信するものである。なお、ＲＦ受信回路２２０は、特許請求の範囲に記載の第１の受信回路の一例であり、ＲＦ受信回路２２５は、特許請求の範囲に記載の第２の受信回路の一例である。
【００７７】
図１２は、本技術の第２の実施の形態における受信装置２００の動作の一例を示すタイミングチャートである。
【００７８】
タイミングＴ０乃至Ｔ２の期間において、ＲＦ受信回路２２０は、まず、周波数チャネルＣＨ０を選択してＯＦＤＭフレームを受信し、ＯＦＤＭ復調部２３０は、そのＯＦＤＭフレームを復調する。
【００７９】
Ｌ１情報処理部２４０は、Ｌ１情報を走査し、タイミングＴ１においてＬＬＳフラグが「１」のＰＬＰのＰＬＰＩＤを取得する。また、Ｌ１情報処理部２４０は、結合先のＢＳＩＤに対応する周波数チャネルＣＨ４を結合先チャネルとして求め、ＲＦ受信回路２２５を制御して、その周波数チャネルに切り替えさせる。
【００８０】
タイミングＴ１乃至Ｔ３の期間において、ＲＦ受信回路２２５は、周波数チャネルＣＨ４を選択してＯＦＤＭフレームを受信し、ＯＦＤＭ復調部２３５は、そのＯＦＤＭフレームを復調する。
【００８１】
Ｌ１情報処理部２４５は、Ｌ１情報を走査し、タイミングＴ２においてＬＬＳフラグが「１」のＰＬＰのＰＬＰＩＤを取得する。タイミングＴ２乃至Ｔ３において結合部２６０は、必要に応じて結合元チャネルＣＨ０のパケットと、結合先チャネルＣＨ４のパケットとを結合する。なお、結合が行われないこともある。結合を行うか否かは、Ｌ１情報処理部２４５が前述の「L1D_plp_num_channel_bonded」フィールドを参照することにより判断することができる。
【００８２】
タイミングＴ２乃至４においてＲＦ受信回路２２０は、周波数チャネルＣＨ１を選択し、タイミングＴ３乃至５においてＲＦ受信回路２２５は、周波数チャネルＣＨ２を選択する。ＯＦＤＭ復調部２３０および２３５以降の後段の回路は、残りのチャネルについて同様の動作を繰り返す。
【００８３】
なお、ＲＦ受信回路２２０および２２５の２つを配置しているが、ＲＦ受信回路を３つ以上配置し、３つ以上の周波数チャネルのＯＦＤＭフレームを並列に受信することもできる。
【００８４】
このように本技術の第２の実施の形態では、ＲＦ受信回路２２０および２２５の２つを配置したため、ＲＦ受信回路２２０が結合元チャネルのフレームを受信中に、ＲＦ受信回路２２５が結合先チャネルのフレームの受信を開始することができる。これにより、結合開始までの遅延時間をさらに短くすることができる。
【００８５】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００８６】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【００８７】
なお、本明細書に記載された効果はあくまで例示であって、限定されるものではなく、また、他の効果があってもよい。
【００８８】
なお、本技術は以下のような構成もとることができる。
（１）複数の周波数チャネルのいずれかを結合元チャネルとして選択して前記結合元チャネルからのフレームを受信する受信部と、
前記フレームに基づいて前記複数の周波数チャネルのうち前記結合元チャネルとの間でパケットを結合する周波数チャネルを結合先チャネルとして求める処理と前記受信部を制御して前記結合先チャネルからのフレームを新たに受信させる処理とを行う制御部と、
前記フレームを復号して前記パケットを取得する復号部と、
前記結合元チャネルに対応する前記パケットと前記結合先チャネルに対応する前記パケットとを結合する結合部と
を具備する受信装置。
（２）前記フレームは、結合先のＢＳＩＤ（Broadcast Stream ID）が記載されたプリアンブルを含み、
前記制御部は、前記ＢＳＩＤに対応する周波数チャネルを前記結合先チャネルとして取得する
前記（１）記載の受信装置。
（３）前記受信部は、互いに異なる周波数チャネルからの前記フレームを受信する第１および第２の受信回路を備え、
前記第１の受信回路は、前記結合元チャネルからの前記フレームを受信し、
前記制御部は、前記第２の受信回路を制御して前記結合先チャネルからの前記フレームを受信させる
前記（１）または（２）に記載の受信装置。
（４）前記フレームは、ＬＬＳ（Low Level Signaling）フラグが記載されたプリアンブルを含み、
前記制御部は、所定値の前記ＬＬＳフラグを前記プリアンブルから取得した場合には前記結合先チャネルからのフレームを新たに受信させる
前記（１）から（３）のいずれかに記載の受信装置。
（５）ＬＬＳ情報およびＬＭＴ（Link Mapping Table）からチャネルマップを生成する処理を後段処理として行う後段処理部をさらに具備する
前記（４）記載の受信装置。
（６）前記フレームは、所定数の物理層パイプを含み、
前記プリアンブルには、前記物理層パイプごとに前記ＬＬＳフラグが記載され、
前記後段処理部は、前記所定値の前記ＬＬＳフラグに対応する前記物理層パイプから前記ＬＬＳ情報および前記ＬＭＴを取得する
前記（５）記載の受信装置。
（７）前記フレームは、ＡＴＳＣ（Advanced Television Systems Committee standards）３．０規格に準拠したフレームである
前記（１）から（６）のいずれかに記載の受信装置。
（８）複数の周波数チャネルのそれぞれからフレームを送信する送信装置と、
前記複数の周波数チャネルのいずれかを結合元チャネルとして選択して前記結合元チャネルからの前記フレームを受信する受信部と、
前記フレームに基づいて前記複数の周波数チャネルのうち前記結合元チャネルとの間でパケットを結合する周波数チャネルを結合先チャネルとして求める処理と前記受信部を制御して前記結合先チャネルからの前記フレームを新たに受信させる処理とを行う制御部と、
前記フレームを復号して前記パケットを取得する復号部と、
前記結合元チャネルに対応する前記パケットと前記結合先チャネルに対応する前記パケットとを結合する結合部と
を具備する通信システム。
（９）複数の周波数チャネルのいずれかを結合元チャネルとして選択して前記結合元チャネルからのフレームを受信する受信手順と、
前記フレームに基づいて前記複数の周波数チャネルのうち前記結合元チャネルとの間でパケットを結合する周波数チャネルを結合先チャネルとして求める処理と前記受信部を制御して前記結合先チャネルからのフレームを新たに受信させる処理とを行う制御手順と、
前記フレームを復号して前記パケットを取得する復号手順と、
前記結合元チャネルに対応する前記パケットと前記結合先チャネルに対応する前記パケットとを結合する結合手順と
を具備する受信装置の制御方法。
【符号の説明】
【００８９】
１００  送信装置
１１０  入力フォーマッティングブロック
１２０  ストリーム分割ブロック
１３０、１３５  ＢＩＣＭブロック
１５０、１５５  フレーム化・インターリービングブロック
１６０、１６５  波形生成部
１７０  ＲＦ送信回路
１８０、２１０、２１５  アンテナ
２００  受信装置
２２０、２２５  ＲＦ受信回路
２３０、２３５  ＯＦＤＭ復調部
２４０、２４５  Ｌ１情報処理部
２５０、２５５  復号部
２６０  結合部
２７０  後段処理部
【図１】
2020022118.tif 000003
【図２】
2020022118.tif 000004
【図３】
2020022118.tif 000005
【図４】
2020022118.tif 000006
【図５】
2020022118.tif 000007
【図６】
2020022118.tif 000008
【図７】
2020022118.tif 000009
【図８】
2020022118.tif 000010
【図９】
2020022118.tif 000011
【図１０】
2020022118.tif 000012
【図１１】
2020022118.tif 000013
【図１２】
2020022118.tif 000014